(57)【特許請求の範囲】
【請求項１】
物品を受け入れるための受入口（２）及び当該物品を排出するための排出口（３）を有するホッパ（１）の前記排出口に開閉自在に設けられたシャッタ（５）の支持構造において、
前記ホッパの両外側面（１ａ、１ｂ）に対となって突設される支持軸（４）と、
前記支持軸が挿通される支持穴（１３）を有する腕部（１１）を備えるとともに、該腕部先端から前記排出口側に延設され、前記シャッタの半部を支持する底部（１２）を備え、前記シャッタの前面にて前記底部の端縁（１５、１５）同士が向き合う一対の支持部材（１０、１０）と、
前記一対の支持部材のうち一方の前記底部の端縁に形成される凹部（１６）と、他方の前記底部の端縁に形成される凸部（１７）とで構成され、前記シャッタの前面にて、前記凹部と前記凸部とが互いに嵌合されて前記各支持部材の底部の端縁同士を近接状態で連結する連結手段（１８）と、
前記シャッタと前記支持部材を固定する固定手段（９）と、
を具備することを特徴とするシャッタの支持構造。
【請求項２】
前記連結手段（１８）を構成する前記凹部（１６）と前記凸部（１７）は、前記各支持部材の前記底部（１２）の厚み方向に連結される蟻継ぎ構造とし、前記支持軸（４）の軸線方向へ離脱しない略一枚板状に前記両底部を連結することを特徴とする請求項１記載のシャッタの支持構造。
【請求項３】
前記固定手段（９）は、前記一対の支持部材（１０、１０）を前記シャッタ（５）に対して個別に固定するものであって、前記シャッタに突設されるボルト（７）と、前記底部（１２）に設けられ前記ボルトが貫通する貫通穴（１４）と、前記ボルトに螺着され、前記シャッタを前記支持部材に固定するナット（８）とで構成されることを特徴とする請求項１又は２記載のシャッタの支持構造。
【請求項４】
前記底部（１２）の前記貫通穴（１４）は、長手方向が前記支持軸（４）の軸線方向と直交する長穴とすることを特徴とする請求項３記載のシャッタの支持構造。
【発明の詳細な説明】
【０００１】
【発明の属する技術分野】
本発明は、主としてホッパの排出口に設けられるシャッタの支持構造に関する物である。
【０００２】
【従来の技術】
複数の計量部で計量された被計量物の組合せの中から目標重量範囲となる組合せを選定し、その選定された被計量物を集合排出するように構成された組合せ計量装置においては、被計量物の集合、計量等のためにホッパが使用される。
上記組合せ計量装置で使用されているホッパは、一般に、上部に受入口を有し、下部に排出口を有して、シャッタによって排出口を開閉自在に制御している。
【０００３】
従来、ホッパに対してシャッタを組み付ける構造としては種々あるが、食品を扱う場合に清掃を容易とする構造が好ましく、シャッタを容易に外せる構造として、シャッタに一対の腕部を設けて、これら腕部をホッパの両側面にネジ等で固定する構造が下記特許文献１等にあった。そしてホッパの両側面と腕部を連結するために、両側面にはネジ穴が形成され、また腕部には貫通穴が形成され、この貫通穴を貫通させて雄ネジをネジ穴に螺着させ構成していた。
【０００４】
また、図４に示すように、上記構成のシャッタ１０１と腕部１０２とを別部材とし、シャッタ１０１と排出口１０６を隙間無く塞ぐ構造としたものがあった。その構造は、略コ字状の支持板１０４とシャッタ１０１とで構成されている。この構造では、支持板１０４の対向する腕部１０２、１０２の間の取付面１０３にシャッタ１０１をネジ部材１０８で固定していた。さらに、支持板１０４の各腕部１０２、１０２は、ホッパ１００の両側面１００ａ、１００ｂにカラ−１０７を介してネジ１０５で取り付けていた。
【０００５】
さらに、図５に示すように、シャッタ２０１と腕部２０２とを別部材とした構成としては、ホッパ２００の両外側面２００ａ、２００ｂに植設された雄ネジ２０３と、雌ネジを備えた軸部２０５を有するナット部材２０４とを使用したものがあった。この構造では、腕部２０２に穿設された貫通穴２０６に、軸受材２０７を介して雄ネジ２０３を挿通させ、軸受材２０７にナット部材２０４の軸部２０５を挿通させるとともに、ナット部材２０４と雄ネジ２０３を螺着させることによって腕部２０２を取り付けていた。
【０００６】
【特許文献１】
特開平１１−１１８５８５号公報
【０００７】
【発明が解決しようとする課題】
しかしながら、上述した従来の支持構造では、シャッタの開閉軸がネジで構成されており、そのためシャッタの開閉動作によってネジの螺着状態が緩み易く、このネジが脱落し、被計量物に混入してしまう虞があった。この被計量物が食品である場合、大きな問題となる。また、ネジを多用することによりホッパの組立てに時間を要していた。
さらに、食品を扱う場合、ネジを多用したシャッタの支持構造では、構造が複雑となり、清掃に時間がかかってしまったり、清掃が不十分であるという問題があった。
特に、図５に示すようなシャッタの支持構造の場合、シャッタをホッパに取り付けるためには、シャッタの支持部材である一対の腕部を拡げてホッパに組み付けなければならないが、ホッパが小型になると、シャッタの支持部品の外形も金属の厚さに対して相対的に小型となって剛性が増し、ホッパへの取り付けのために腕部を拡げる等の作業は困難となってしまうという問題があった。
【０００８】
そこで本発明は、上記課題を解消するために、ネジの本数を減らし、組立て及び分解を容易に行うことができる、簡素で安価なシャッタの支持構造を提供することを目的としている。
【０００９】
【課題を解決するための手段】
次に、上記の課題を解決するための手段を、実施の形態に対応する図面を参照して説明する。
この発明の請求項１記載のシャッタの支持構造は、物品を受け入れるための受入口２及び当該物品を排出するための排出口３を有するホッパ１の前記排出口３に開閉自在に設けられたシャッタの支持構造において、
前記ホッパ１の両外側面１ａ、１ｂに対となって突設される支持軸４と、
前記支持軸４が挿通される支持穴１３を有する腕部１１を備えるとともに、該腕部１１先端から前記排出口３側に延設され、前記シャッタ５の半部を支持する底部１２を備え、前記シャッタ５の前面にて前記底部１２の端縁１５、１５同士が向き合う一対の支持部材１０、１０と、
前記一対の支持部材１０、１０のうち一方の前記底部１２の端縁に形成される凹部１６と、他方の前記底部１２の端縁に形成される凸部１７とで構成され、前記シャッタ５の前面にて、前記凹部１６と前記凸部１７とが互いに嵌合されて前記各支持部材１０、１０の底部１２の端縁１５、１５同士を近接状態で連結する連結手段１８と、
前記シャッタ５と前記支持部材１０を固定する固定手段９と、
を具備することを特徴とする。
【００１０】
このような支持構造によれば、ホッパ１の両外側面１ａ、１ｂの各支持軸４を各支持部材１０、１０の支持穴１３に挿通させて、ホッパ１に支持部材１０を取り付けることにより、支持部材１０は、ネジを使用せずにホッパ１に回動自在に取り付けられる。つまり、ホッパ１に使用されるネジの本数を減らすことができる。
また、各貫通穴１４にボルト７を挿通させることにより、支持部材１０にシャッタ５を取り付け、ボルト７にナット８を取り付けることによって、シャッタ５と支持部材１０とは確実に固定される。このとき両支持部材１０、１０は、連結手段１８によって一時的に連結されている状態にあるので、ナット８を用いたシャッタ５の取り付けは容易である。
また、シャッタ５の位置を調節してナット８を締め付けることにより、容易にシャッタ５が排出口３を隙間無く塞ぐ位置を決めることができる。
さらに、支持部材１０、１０同士は、各底部１２、１２の端縁１５、１５の一方に形成される凹部１６と、他方に形成される凸部１７とが嵌合することにより連結される。これにより他に支持部材同士を連結させるための部品を設ける必要がなくなり、部品点数を減らすことができる。
【００１３】
請求項２記載のシャッタの支持構造によれば、前記連結手段１８を構成する前記凹部１６と前記凸部１７は、前記各支持部材１０の前記底部１２の厚み方向に連結される蟻継ぎ構造とし、前記支持軸４の軸線方向へ離脱しない略一枚板状に前記両底部１２、１２を連結することを特徴とする。
【００１４】
このような支持構造によれば、各支持部材１０、１０の凹部１６と凸部１７とを蟻形と蟻溝によって結合されるので、両腕部１１、１１の間隔を一定に維持することができる。さらに、支持部材１０、１０同士が、一時的に連結された状態となるので、支持部材１０、１０に対するシャッタ５の取り付けが容易になる。
【００１５】
請求項３記載のシャッタの支持構造によれば、前記固定手段９は、前記一対の支持部材１０、１０を前記シャッタ５に対して個別に固定するものであって、前記シャッタ５に突設されるボルト７と、前記底部１２に設けられ前記ボルト７が貫通する貫通穴１４と、前記ボルト７に螺着され、前記シャッタ５を前記支持部材１０に固定するナット８とで構成されることを特徴とする。
【００１６】
このような支持構造によれば、支持部材１０を介してボルト７とナット８が螺着されることによって、シャッタ５と支持部材１０とは確実に固定される。また、この固定手段９は、シャッタ５の板面上に設けられているため、使用者は、ホッパの組立て及び分解をホッパの正面側から容易に行うことができる。
【００１７】
請求項４記載のシャッタの支持構造によれば、前記底部１２の前記貫通穴１４は、長手方向が前記支持軸４の軸線方向と直交する長穴とすることを特徴とする。
【００１８】
このような支持構造によれば、シャッタ５を取り付ける際、シャッタ５のボルト７を貫通穴１４に沿って移動させることができるので、排出口３に対するシャッタ５の位置の調節が可能となる。つまり、シャッタ５が排出口３を隙間無く塞ぐように取り付けることができる。
【００２１】
【発明の実施の形態】
以下、本発明の実施の形態を図面を参照して具体的に説明する。
図１は本発明によるシャッタの支持構造の実施の形態を示す分解斜視図、図２はシャッタの支持構造の実施の形態を示す側面図である。
【００２２】
本実施の形態によるシャッタの支持構造は、ホッパ１とホッパ１の下方に形成されている排出口３の開閉を自在に行うシャッタ５を支持するものである。
【００２３】
ホッパ１は、略四角筒状に形成され、上面に受入口２を有し、下面にホッパ１の前から後にかけてやや傾斜した排出口３を有している。
【００２４】
この支持構造は、支持軸４と、シャッタ５と、支持部材１０とで略構成されている。
支持軸４は、図１に示すように、ホッパ１の両外側面１ａ、１ｂに対して垂直であるような同一軸線上に対となって突設されている。
シャッタ５は、図１に示すように、略四角形の板状に形成され、排出口３の下側に取り付けられている。シャッタ５の両側面には、ホッパの両外側面１ａ、１ｂに重なる側板６が設けられている。シャッタ５には、略円柱状のボルト７が支持軸４の軸線方向と同一方向に並んで突設されている。
【００２５】
支持部材１０は、腕部１１と底部１２とで構成されている。
腕部１１は、略板状に形成され、長手方向の長さは、支持軸４から排出口３までの長さと同等である。腕部１１の一端には支持穴１３が穿設されている。支持穴１３の内径は、支持軸４の外径よりやや大径に形成されている。また、腕部１１の他端には底部１２が設けられている。
底部１２は、腕部１１と同様に略板状に形成されている。底部１２は、腕部１１に対して直交して設けられ、シャッタ５の半部を覆っている。また、底部１２には、長手方向が支持軸４の軸線方向と直交する向きの略長円形状の貫通穴１４が穿設されている。貫通穴１４の短軸方向の内径は、ボルト７の外径と同等かやや大径に形成されている。なお、この支持部材１０は、対となっている。
【００２６】
両支持部材１０、１０の近接し合う端縁１５、１５には、一方に、連結手段１８を構成する凹部１６が形成され、他方に、連結手段１８を構成する凸部１７が形成されている。本実施の形態では、凹部１６として端縁１８に蟻溝が形成され、また、凸部１７として端縁１５が蟻形に形成されている。連結手段１８は、この凹部１６と凸部１７を係合させる蟻継ぎ構造となっている。
【００２７】
また、ボルト７に、支持部材１０を介してナット８を取り付けることによって、シャッタ５と支持部材１０の固定手段としている。
【００２８】
以下、ホッパ１にシャッタ５を取り付ける手順について説明する。
まず、ホッパ１の両支持軸４を各支持穴１３に挿通させる。取り付けられた各支持部材１０の各貫通穴１４にボルト７を挿通させ、シャッタ５を取り付ける。その際、各支持部材１０の凹部１６と凸部１７は、まだ連結されておらず、端縁１５同士が重なり合った状態となっている。これは、支持軸４の外径と支持穴１３の内径との差による僅かな隙間によって支持軸４の軸線方向に対して、腕部が傾斜できるように微動可能であり、それにより、底部１２の端縁１５、１５同士が重なる程度の空間が生じるからである。
【００２９】
次に、一対の支持部材１０、１０の各支持軸４、４に対する位置を調節することにより、凹部１６と凸部１７を連結させる。即ち、凹部１６と凸部１７を底部１２の厚み方向から嵌め合わせる。図１に示すように、凹部１６と凸部１７は、蟻継ぎ構造となっているため、両支持部材１０、１０は、一時的に連結状態となり、各支持部材１０、１０は、支持軸４の軸線方向に引いても外れず、ガタも生じない。つまり、ホッパ１にシャッタ５と支持部材１０、１０が一時的に組み付けられた状態になる。
【００３０】
次に、各ボルト７、７に、各支持部材１０、１０を介してそれぞれナット８、８を取り付ける。このとき、ナット８は、ボルト７に緩く取り付けられた状態とし、シャッタ５が支持部材１０、１０に対して移動し得るようにしておく。
【００３１】
次に、シャッタ５を閉じて、ホッパの排出口３に対するシャッタ５の位置を調節する。シャッタ５が排出口３を隙間無く塞ぐ位置が決まったら、ナット８を締め付けシャッタ５を支持部材１０に固定して、ホッパ１に対する支持部材１０を介してのシャッタ５の取り付けが完了する。
【００３２】
この実施の形態によれば、ホッパ１に対してシャッタ５を支持するための部材は、一個の部品ではなく、一対の支持部材１０、１０を組み合わせたものであるので、ホッパ１に支持部材１０を取り付ける際に、支持軸４にネジを使用しないでシャッタ５を開閉自在に取り付けることができる。即ち、本例の、組み合わせて略コ字状となった支持部材１０、１０と同じ構造の支持部品を一個の金属部品とした場合には、これをホッパに取り付けるためには、一対の腕部１１を拡げて組み付けなければならないが、ホッパ１が小型になると、シャッタ５の支持部品の外形も金属の厚さに対して相対的に小型となって剛性が増し、ホッパ１への取り付けのために腕部１１を拡げる等の作業は困難となってしまうのである。これに対し本例は、支持部材１０、１０が分割構造でホッパ１に取り付けた後に連結される構造となっているので上記の問題を解消できる。
【００３３】
また、シャッタの支持部材を分割構造とした本実施の形態によれば、使用者にとって前面でシャッタを取り付けることができるので、容易に取り付けることができる。さらに、排出口に対してシャッタを調節する際にも、使用者は容易にその作業を行うことができる。
【００３４】
さらに、シャッタを開閉させる軸部分にネジを使用しないことによって、例えば、ホッパ１が横並びに複数配置されている組合せ計量装置等の場合、隣り合うホッパ１の間にネジを取り付けるための空間を必要としないため、ホッパ１とホッパ１の間隔を狭くすることができる。つまり、装置を小型化することが可能となる。
【００３５】
なお、上述した実施の形態では、連結手段１８として、底部１２の端縁１５、１５同士を蟻継ぎ構造としたが、図３に示すように、底部１２の端縁１５を種々の形状にしてもよい。
例えば、図３（ａ）に示すように、一方を矩形の凹部２１とし、他方を矩形の凸部２２としてもよい。これにより、支持部材１０の製造が容易にできる。
また、図３（ｂ）に示すように、端縁の形状が曲面で構成されていてもよい。これにより、上記と同様の効果が得られる。
さらに、図３（ｃ）に示すように、凹部４１と凸部４２が半円よりも大きい構成としてもよい。これにより、両支持部材１０、１０は、支持軸４の軸線方向へ離脱しないので、支持部材１０、１０同士の抜け止めを強化できる。
また、図３（ｄ）に示すように、凹部５１と凸部５２を複数の蟻継ぎ構造としてもよい。これにより、上記と同様の効果が得られる。
【００３６】
また、上述した実施の形態では、支持穴には直接支持軸が挿通されて、ホッパに支持部材を取り付けていたが、支持穴に軸受を設けてもよい。これにより、支持軸と支持穴との摩擦が緩和され、支持軸及び支持穴の破損が防止される。また、シャッタの開閉動作によって起こる騒音が抑えられる。
【００３７】
【発明の効果】
以上説明したように、請求項１記載のシャッタの支持構造によれば、ホッパの両外側面の各支持軸を各支持部材の支持穴に挿通させて、ホッパに支持部材を取り付けることにより、支持部材は、ネジを使用せずにホッパに回動自在に取り付けられる。つまり、ホッパに使用されるネジの本数を減らすことができる。
また、各貫通穴にボルトを挿通させることにより、支持部材にシャッタを取り付け、ボルトにナットを取り付けることによって、シャッタと支持部材とは確実に固定される。このとき両支持部材は、連結手段によって一時的に連結されている状態にあるので、ナットの取り付けは容易である。
また、シャッタの位置を調節してナットを締め付けることにより、容易にシャッタが排出口を隙間無く塞ぐ位置を決めることができる。
さらに、上記の構造によれば、ホッパの組立てコストが削減できる。したがって、製造に係わる人件費等が抑えられるため安価にホッパを得ることが可能となる。
また、支持部材同士は、各底部の端縁の一方に形成される凹部と、他方に形成される凸部とが嵌合することにより連結される。これにより他に支持部材同士を連結させるための部品を設ける必要がなくなり、部品点数を減らすことができる。
【００３９】
さらに、請求項２によれば、各支持部材の凹部と凸部とを蟻形と蟻溝によって結合されるので、両腕部の間隔を一定に維持することができる。さらに、支持部材同士が、一時的に連結された状態となるので、支持部材に対するシャッタの取り付けが容易になる。
【００４０】
また、請求項３によれば、支持部材を介してボルトとナットが螺着されることによって、シャッタと支持部材とは確実に固定される。また、この固定手段は、シャッタの板面上に設けられているため、使用者は、ホッパの組立て及び分解を容易に行うことができる。
【００４１】
さらに、請求項４によれば、シャッタを取り付ける際、シャッタのボルトを貫通穴に沿って移動させることができるので、排出口に対するシャッタの位置の調節が可能となる。つまり、シャッタが排出口を隙間無く塞ぐように取り付けることができる。
【図面の簡単な説明】
【図１】本発明のシャッタの支持構造の一実施の形態を示す分解斜視図である。
【図２】同シャッタの支持構造の一実施の形態を示す側面図である。
【図３】同シャッタの支持構造の連結手段の他の実施の形態を示す図である。
【図４】従来のシャッタの支持構造の一例を示す分解斜視図である。
【図５】従来のシャッタの支持構造の一例を示す正面図である。
【符号の説明】
１…ホッパ
１ａ、１ｂ…側面
２…受入口
３…排出口
４…支持軸
５…シャッタ
９…固定手段
１０…支持部材
１１…腕部
１２…底部
１３…支持穴
１５…端縁
１８…連結手段
【図１】
0003723168.tif 000002
【図２】
0003723168.tif 000003
【図３】
0003723168.tif 000004
【図４】
0003723168.tif 000005
【図５】
0003723168.tif 000006